(57)【特許請求の範囲】
【請求項１】
２本のアームがＸ字状に重ねられて当該重なり部分で互いに回動可能に支持されており、
前記２本のアームは、それぞれ、一端側に基台部が、他端側に吊り下げ対象物を吊り下げるための係止部が設けられ、
前記基台部は、上面側に少なくとも３本の針が上方に向かって且つ平面を安定的に支持できる位置関係で立設されると共に、下面側に前記針を天井に押し込むための押圧部を備える
ことを特徴とする天井吊り下げ具。
【請求項２】
請求項１において、
前記基台部には、天井から取り外す際に器具を引っ掛けるための引掛部が形成されている
ことを特徴とする天井吊り下げ具。
【請求項３】
請求項１または２において、
前記アームにおける前記重なり部分から前記係止部までの長さは、前記重なり部分から前記基台部までの長さよりも長く構成されている
ことを特徴とする天井吊り下げ具。
【発明の詳細な説明】
【技術分野】
【０００１】
本発明は、催事場等において、飾り付け等を天井から吊すための天井吊り下げ具に関するものである。
【背景技術】
【０００２】
従来から、天井を利用して何らかの物品を吊り下げるための天井吊り下げ具は、種々の構成のものが発明されている。特許文献１〜４に示されている天井吊り下げ具は、細部の構成は異なるものの、いずれも天井に対して斜め方向にピンを差し込んで固定するというものである。斜め方向にピンが差し込まれていることによって、下方に引っ張る力が作用しても、容易に抜け落ちることがないように工夫されているものである。
【先行技術文献】
【特許文献】
【０００３】
【特許文献１】特開２００９−７４５９７号公報
【特許文献２】特開２０１２−２１０３６９号公報
【特許文献３】実用新案登録第３１１２１０１号公報
【特許文献４】実用新案登録第３０７０８７９号公報
【発明の概要】
【発明が解決しようとする課題】
【０００４】
しかしながら、上記特許文献１〜４に記載された発明のように、天井に対して斜め方向にピンを差し込んで固定する構造の場合、その着脱に大変手間を要するという問題がある。例えば、催事場等で飾り付けを行う際など、大量の天井吊り下げ具を利用して装飾品を天井から吊したい場合がある。このようなとき、従来からの天井吊り下げ具であれば、一つ一つ脚立等に乗って、天井に手が届く状態で取り付け作業を行ったり、取り外し作業を行ったりする必要がある。こういった作業は、単に時間がかかるというのみならず、脚立等に乗って、更に上方を向いて作業する必要があることから、危険を伴う場合もある。
これを嫌って、単に画鋲といったより簡易なもので物品を吊すことも可能であるが、それでは吊り下げる物品の重量がかなり限定されてしまい、且つ、安定的な固定という側面からも不安がある。
【０００５】
そこで本発明は、こういった問題点を解決するべくなされたものであって、脚立等に乗らずとも、天井への着脱が容易に実現でき、更に、吊り下げる物品の重量を利用して、天井への強固な固定を可能とする天井吊り下げ具を提供する事をその目的としている。
【課題を解決するための手段】
【０００６】
上記課題を解決するべく、本願発明は、２本のアームがＸ字状に重ねられて当該重なり部分で互いに回動可能に支持されており、前記２本のアームは、それぞれ、一端側に基台部が、他端側に吊り下げ対象物を吊り下げるための係止部が設けられ、前記基台部は、上面側に少なくとも３本の針が上方に向かって且つ平面を安定的に支持できる位置関係で立設されると共に、下面側に前記針を天井に押し込むための押圧部を備えることを特徴とする。
【０００７】
このような構成を採用したことによって、脚立等に乗らずとも、天井への着脱が容易に実現できるようになる。即ち、針が立設されている基台部の裏面を押圧して押し込むという作業のみで、天井吊り下げ具を天井に取り付けることができる。この時立設されている少なくとも３本の針は、平面を安定的に支持できる位置関係（例えば略正三角形となる位置関係）に配置されているので、天井に対して基台部が傾いたりすることなく、安定的に押圧して針を天井に差し込むことが可能となる。
【０００８】
また、吊り下げ対象物を吊り下げる係止部は、アームの他端側に設けられており、２本のアームがＸ字状に重ねられて当該重なり部分で互いに回動可能に支持されているという構造から、吊り下げる物品自体の重さ（重量）によって、２本のアームの一端側に設けられた基台部を閉じさせる（近づけさせる）方向の力が作用する。この力は、吊り下げる物品の重量が重くなればなるほど大きくなるが、その力の作用によって、天井に差し込まれた針がより抜け難くなって、安定的且つ強力な天井への固定を可能としている。
【０００９】
また、前記基台部に、天井から取り外す際に器具を引っ掛けるための引掛部を設けることが望ましい。
【００１０】
このような構成を採用したことによって、（本発明に係る天井吊り下げ具の針は、各引用文献記載の発明のように天井に対して斜め方向に差し込まれていないので）当該引掛部に何らかの器具を引っ掛けて下方に引っ張ることで、容易に天井から取り外すことも可能である。
【００１１】
また、前記アームにおける前記重なり部分から前記係止部までの長さは、前記重なり部分から前記基台部までの長さよりも長く構成されていてもよい。
【００１２】
このような構成を採用することによって、テコの原理を利用して、同じ重さ（重量の）物品を吊り下げる場合でも、より大きな基台部を閉じさせる力が発生し作用するので、更に安定的且つ強力な固定が可能となる。  
【発明の効果】
【００１３】
本発明を適用することで、脚立等に乗らずとも、天井への着脱が容易に実現でき、更に、吊り下げる物品の重量を利用して、天井への強固な固定が可能となる。
【図面の簡単な説明】
【００１４】
【図１】本発明に係る天井吊り下げ具の側面概略構成図である。
【図２】本発明に係るヘッド部の斜視図である。
【図３】本発明に係る天井吊り下げ具の使用状態を示した図であって、（Ａ）は天井に装着されている状態を示した図、（Ｂ）は取り外し作業を模式的に示した図である。
【図４】針の配置例を示した図である。
【発明を実施するための形態】
【００１５】
以下、添付図面を参照しつつ、本発明の実施形態の一例である天井吊り下げ具１０について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１６】
〈天井吊り下げ具の構成〉
図１に示しているように、本発明に係る天井吊り下げ具１０は、第１アーム１００と第２アーム２００がＸ字状に重ねられて当該重なり部分を回動支持部３００として、互いに回動可能に支持されている。この回動支持部３００は、例えば、ボルトが遊嵌されてナットで固定されて構成される。
【００１７】
第１アーム１００は、一端側にヘッド部１１０が設けられ、他端側に吊り下げ対象物（図１においては図示していない）を吊り下げるための係止部１０４（ここでは貫通孔）が設けられている。
【００１８】
ヘッド部１１０は、基台部１１２とその上面に設けられた４本の針１１４によって構成されている。なお、針の数は少なくとも３本備わっていればよく、５本以上で構成されていてもよい。
【００１９】
基台部１１０は、側面視すると凹字形状に構成されていて、その溝部分で軸部１０２と接続固定されている。また畝部分（溝部分でない部分）にそれぞれ２本の針１１４が上方に向かって立設されている。よって、合計４本の針１１４が一つの基台部１１２に備わっている。また、この溝部分は、天井から当該天井吊り下げ具１０を取り外す際の引掛部１１６としても機能する。
【００２０】
基台部１１２の下面（裏面）側は平らに形成されており、針１１４を天井に押し込む際の押圧面１１２ａとして機能する。丁度、針１１４の真下位置に押圧面１１２ａが形成されているので、力が逃げたりせず、天井に針１１４を押し込む操作が行い易いという利点がある。
【００２１】
また、針１１４は、平面視すると略正方形となるような位置関係、即ち、平面を安定的に支持できる位置関係で立設されている。勿論、必ずしも正方形となるような位置関係に限らず、平面を安定的に支持できる位置関係であればその他の位置関係であってもよい。例えば図４（Ａ）に示しているように、針１１４が３本で構成されている場合には、略正三角形となるような位置関係で配置するのが望ましい。但し、平面を安定的に支持できる位置関係であれば足りるので、隣り合う針１１４で形成される角度θが全て４０°以上となるような位置関係であれば、基台部１１２の押圧面１１２ａを押して針１１４を天井に差し込む際に、基台部１１２が傾く等を防止するという所望の効果は十分に発揮されるため許容される。針１１４の数が４本以上の場合も同様である。更に、図４（Ｂ）として示しているように、周囲に配置された針１１４の中央付近にも、針１１４ａを配置する構成を採用することも可能である。
【００２２】
なお、第２アーム２００に関しては、上記説明した第１アーム１００と同様の構成となるので、同じ部分に数字下二桁が同一の符号を付すことによって、重複した説明は省略する。
【００２３】
〈天井吊り下げ具の作用・機能〉
本発明に係る天井吊り下げ具１０を天井に取り付けるには、例えば、棒（特段専用の器具である必要はない）の先端に、片方のヘッド部１１０の裏面側（即ち押圧面１１２ａ）を、比較的粘着力の弱い粘着テープ等を利用して仮留めしつつ、その棒を利用して、天井１の所望の位置に押圧して針１１４を刺し込み、取り付ける。他方のヘッド部２１０については、先に押圧固定したヘッド部１１０から取り外した（粘着テープによる仮留めなので容易に取り外すことができる。）棒の先端を利用して、同様に押圧すればよい。
【００２４】
その状態で、係止部１０４、２０４を利用して、吊り下げたい物品（吊り下げ対象物）を吊り下げればよい。吊り下げた物品の重さ（重量）によって、回転支持部３００を中心として２つのアーム１００、２００の一端に備わるヘッド部１１０、２１０が、閉じようとする方向（図３（Ａ）においてα及びβ方向）に力が作用する。即ち、天井１に差し込まれた両ヘッド部１１０、２１０に備わる針１１４、２１４によって、天井１を構成する部材を恰も挟持するような力が作用する。この力は、吊り下げる物品の重量が重ければ重いほど強く作用するので、吊り下げる物品を安定的且つ協力に天井１に固定させることができる。
【００２５】
一方、天井１に取り付けた天井吊り下げ具１０を取り外す際は、ヘッド部１００、２００を構成する基台部１１２、２１２に設けられた引掛部１１６、２１６に、先端が少し曲がった器具（特に専用の器具でなくともよい）を引っ掛けて下方に引っ張れば容易に取り外すことができる。これは、各先行技術文献に記載されていた発明のように、天井に対してピンが斜め方向に差し込まれていないからこそ実現できるメリットである。
【００２６】
このように、本発明に係る天井吊り下げ具１０は、天井１に対してピンを斜め方向に差し込む必要がないので、天井への取り付け及び取り外しが容易であり、更に、吊り下げる物品の重さを積極的に利用して、天井への安定的且つ強固な固定を可能にしているものであり、従来技術にはない特有の構成によって有利な効果を発揮するものである。
【００２７】
〈その他の構成例〉
なお、図面記載の実施例は、各アーム１００、２００における回動支持部３００から係止部１０４、２０４までの長さは、回動支持部３００から基台部１１２、２１２までの長さよりも短く構成されているが、各アーム１００、２００における回動支持部３００から係止部１０４、２０４までの長さを、回動支持部３００から基台部１１２、２１２までの長さよりも長くなるように構成してもよい。
【００２８】
このような構成を採用すれば、テコの原理を利用して、同じ重さ（重量の）物品を吊り下げる場合でも、より大きな力（天井１に差し込まれた両ヘッド部１００、２００に備わる針１１４、２１４によって、天井１の構成する部材を恰も挟持するような力）が発生し作用するので、更に安定的且つ強力な固定が可能となる。
【符号の説明】
【００２９】
１・・・天井
２・・・飾り付け（吊り下げ対象物）
３・・・着脱具
１０・・・天井吊り下げ具
１００・・・第１アーム
２００・・・第２アーム
１０２、２０２・・・軸部
１０４、２０４・・・係止部
１１０、２１０・・・ヘッド部
１１２、２１２・・・基台部
１１４、２１４・・・針
１１６、２１６・・・引掛部
３００・・・回動支持部
【要約】
【課題】
脚立等に乗らずとも、天井への着脱が容易に実現でき、更に、吊り下げる物品の重量を利用して、天井への強固な固定を可能とする天井吊り下げ具を提供する
【解決手段】
２本のアーム１００、２００がＸ字状に重ねられて当該重なり部分（回動支持部３００）で互いに回動可能に支持されており、この２本のアーム１００、２００は、それぞれ、一端側に基台部１１２、２１２が、他端側に吊り下げ対象物を吊り下げるための係止部１０４、２０４が設けられ、基台部１１２、２１２は、上面側に少なくとも３本の針１１４、２１４が上方に向かって且つ平面を安定的に支持できる位置関係で立設されると共に、下面側に針１１４、２１４を天井に押し込むための押圧部１１２ａ、２１２ａを備える。
【選択図】図１【図１】
0005688613.tif 000002
【図２】
0005688613.tif 000003
【図３】
0005688613.tif 000004
【図４】
0005688613.tif 000005